(57)【要約】  追記型ディスクにデータを記録する装置及びその方法、データ再生装置及びその方法、並びにその追記型ディスクを提供する。少なくとも一つの記録層を備えた追記型ディスクにおいて、アップデートされる所定の情報が記録される複数のアップデート領域と、前記複数のアップデート領域のうち、最終的にアップデートされた情報が記録されたアップデート領域を知らせる接近情報が記録される接近情報領域を少なくとも一つとを備える追記型ディスクである。これにより、所定の情報がアップデートされて新たな位置に記録される追記型ディスクの場合、アップデートされた情報を再生するための接近時間をさらに短縮させうる。また、追記型ディスクの使用のために必要なアップデートされた情報を記録するためのアップデート領域が複数個存在する場合、記録装置または再生装置は、複数のアップデート領域のうち最終的にアップデートされた情報が記録されたアップデート領域を迅速かつ容易に決定できる。
2007517352.tif 000002
【特許請求の範囲】
【請求項１】
少なくとも一つの記録層を備えた追記型ディスクにおいて、
アップデートされる所定の情報が記録される複数のアップデート領域と、
前記複数のアップデート領域のうち、最終的にアップデートされた情報が記録されたアップデート領域を知らせる接近情報が記録される接近情報領域を少なくとも一つと備えることを特徴とするディスク。
【請求項２】
前記接近情報は、前記複数のアップデート領域数または前記少なくとも一つのアップデート領域の位置情報を備えることを特徴とする請求項１に記載のディスク。
【請求項３】
前記各アップデート領域の位置情報は、前記少なくとも一つのアップデート領域の開始位置及び終了位置を含むことを特徴とする請求項２に記載のディスク。
【請求項４】
前記各アップデート領域の位置情報は、前記少なくとも一つのアップデート領域の開始位置及び領域の大きさを含むことを特徴とする請求項２に記載のディスク。
【請求項５】
前記各アップデート領域の位置情報は、前記少なくとも一つのアップデート領域の終了位置及び領域の大きさを含むことを特徴とする請求項２に記載のディスク。
【請求項６】
前記接近情報は、最終的にアップデートされた情報が記録されたアップデート領域が変更される場合にのみアップデートされることを特徴とする請求項１に記載のディスク。
【請求項７】
前記接近情報は、新たなアップデート領域が追加されればアップデートされることを特徴とする請求項２に記載のディスク。
【請求項８】
前記接近情報は、前記少なくとも一つのアップデート領域の位置情報が変更されればアップデートされることを特徴とする請求項２に記載のディスク。
【請求項９】
前記接近情報は、前記接近情報領域に繰り返して記録されることを特徴とする請求項１に記載のディスク。
【請求項１０】
前記接近情報は、最終的にアップデートされた情報が記録されたアップデート領域を表すフラグ情報であることを特徴とする請求項１に記載のディスク。
【請求項１１】
前記複数のアップデート領域は、物理的な領域であることを特徴とする請求項１に記載のディスク。
【請求項１２】
前記複数のアップデート領域は、複数の物理的なアップデート領域を論理的に分割した領域であることを特徴とする請求項１に記載のディスク。
【請求項１３】
前記アップデートされる所定の情報は、臨時欠陥管理情報であり、前記アップデート領域は、臨時ディスク管理領域であることを特徴とする請求項１に記載のディスク。
【請求項１４】
前記ディスクは、リードイン領域、データ領域及びリードアウト領域を備える単一記録層のディスクであり、前記接近情報領域は、前記リードイン領域またはリードアウト領域に少なくとも一つが設けられたことを特徴とする請求項１に記載のディスク。
【請求項１５】
前記ディスクは、二重記録層のディスクであり、前記各記録層は、内側領域、データ領域及び外側領域を備え、前記接近情報領域は、前記内側領域または外側領域に少なくとも一つが設けられたことを特徴とする請求項１に記載のディスク。
【請求項１６】
追記型ディスクにデータ記録方法において、
前記ディスクに設けられた複数のアップデート領域の一つにアップデートされる所定の情報を記録するステップと、
前記複数のアップデート領域のうち、最終的にアップデートされた情報が記録されたアップデート領域を知らせる接近情報を、前記ディスクに少なくとも一つ設けられた接近情報領域に記録するステップとを含むことを特徴とする方法。
【請求項１７】
前記接近情報は、前記複数のアップデート領域数または前記少なくとも一つのアップデート領域の位置情報を含むことを特徴とする請求項１６に記載の方法。
【請求項１８】
前記各アップデート領域の位置情報は、前記少なくとも一つのアップデート領域の開始位置及び終了位置を含むことを特徴とする請求項１７に記載の方法。
【請求項１９】
前記各アップデート領域の位置情報は、前記少なくとも一つのアップデート領域の開始位置及び領域の大きさを含むことを特徴とする請求項１７に記載の方法。
【請求項２０】
前記各アップデート領域の位置情報は、前記少なくとも一つのアップデート領域の終了位置及び領域の大きさを含むことを特徴とする請求項１７に記載の方法。
【請求項２１】
前記接近情報記録ステップは、
最終的にアップデートされた情報が記録された少なくとも一つのアップデート領域が変更される場合にのみ変更されたアップデート領域を知らせる、アップデートされた接近情報を記録するステップであることを特徴とする請求項１６に記載の方法。
【請求項２２】
前記接近情報記録ステップは、
前記ディスクに新たなアップデート領域が追加されれば、変更されたアップデート領域数または追加されたアップデート領域の位置情報を含む接近情報を記録することを特徴とする請求項１７に記載の方法。
【請求項２３】
前記接近情報記録ステップは、
前記複数のアップデート領域のうち少なくとも一つの位置情報が変更されれば、変更された位置情報を含む接近情報を記録することを特徴とする請求項１７に記載の方法。
【請求項２４】
前記接近情報記録ステップは、前記接近情報を前記接近情報領域に繰り返して記録することを特徴とする請求項１６に記載の方法。
【請求項２５】
前記接近情報は、最終的にアップデートされた情報が記録されたアップデート領域を表すフラグ情報であることを特徴とする請求項１６に記載の方法。
【請求項２６】
前記複数のアップデート領域は、物理的な領域であることを特徴とする請求項１６に記載の方法。
【請求項２７】
前記複数のアップデート領域は、複数の物理的なアップデート領域を論理的に分割した領域であることを特徴とする請求項１６に記載の方法。
【請求項２８】
前記アップデートされる所定の情報は、臨時欠陥管理情報であり、前記最終アップデート情報が記録されたアップデート領域は、臨時ディスク管理領域であることを特徴とする請求項１６に記載の方法。
【請求項２９】
前記ディスクは、リードイン領域、データ領域及びリードアウト領域を備える単一記録層のディスクであり、前記接近情報領域は、前記リードイン領域またはリードアウト領域に少なくとも一つ設けられたことを特徴とする請求項１６に記載の方法。
【請求項３０】
前記ディスクは、二重記録層のディスクであり、前記各記録層は、内側領域、データ領域及び外側領域を備え、前記接近情報領域は、前記内側領域または外側領域に少なくとも一つ設けられたことを特徴とする請求項１６に記載の方法。
【請求項３１】
追記型ディスクにデータを記録する装置において、
前記ディスクに／から情報を記録または再生する記録／再生部と、
前記ディスクに設けられた複数のアップデート領域の一つに、アップデートされる所定の情報を記録し、前記複数のアップデート領域のうち、最終的にアップデートされた情報が記録されたアップデート領域を知らせる接近情報を、前記ディスクに少なくとも一つ設けられた接近情報領域に記録するように前記記録／再生部を制御する制御部とを備えることを特徴とする装置。
【請求項３２】
前記接近情報は、前記複数のアップデート領域数または前記各アップデート領域の位置情報を含むことを特徴とする請求項３１に記載の装置。
【請求項３３】
前記各アップデート領域の位置情報は、前記各アップデート領域の開始位置及び終了位置を含むことを特徴とする請求項３２に記載の装置。
【請求項３４】
前記各アップデート領域の位置情報は、前記各アップデート領域の開始位置及び領域の大きさを含むことを特徴とする 請求項３２に記載の装置。
【請求項３５】
前記各アップデート領域の位置情報は、前記各アップデート領域の終了位置及び領域の大きさを含むことを特徴とする請求項３２に記載の装置。
【請求項３６】
前記制御部は、最終的にアップデートされた情報が記録されたアップデート領域が変更される場合にのみ、変更されたアップデート領域を知らせるアップデートされた接近情報を記録するように、前記記録／再生部を制御することを特徴とする請求項３１に記載の装置。
【請求項３７】
前記制御部は、前記ディスクに新たなアップデート領域が追加されれば、変更されたアップデート領域数または追加されたアップデート領域の位置情報を含む接近情報を記録するように、前記記録／再生部を制御することを特徴とする請求項３２に記載の装置。
【請求項３８】
前記制御部は、前記複数のアップデート領域のうち少なくとも一つの位置情報が変更されれば、変更された位置情報を含む接近情報を記録するように、前記記録／再生部を制御することを特徴とする請求項３２に記載の装置。
【請求項３９】
前記制御部は、前記接近情報を前記接近情報領域に繰り返して記録するように、前記記録／再生部を制御することを特徴とする請求項３１に記載の装置。
【請求項４０】
前記接近情報は、最終的にアップデートされた情報が記録されたアップデート領域を表すフラグ情報であることを特徴とする請求項３１に記載の装置。
【請求項４１】
前記複数のアップデート領域は、物理的な領域であることを特徴とする請求項３１に記載の装置。
【請求項４２】
前記複数のアップデート領域は、複数の物理的なアップデート領域を論理的に分割した領域であることを特徴とする請求項３１に記載の装置。
【請求項４３】
前記アップデートされる所定の情報は、臨時欠陥管理情報であり、前記アップデート領域は、臨時ディスク管理領域であることを特徴とする請求項３１に記載の装置。
【請求項４４】
前記ディスクは、リードイン領域、データ領域及びリードアウト領域を含む単一記録層のディスクであり、前記接近情報領域は、前記リードイン領域またはリードアウト領域に少なくとも一つが設けられたことを特徴とする請求項３１に記載の装置。
【請求項４５】
前記ディスクは二重記録層ディスクで、前記各記録層は、内側領域、データ領域及び外側領域を備え、前記接近情報領域は、前記内側領域または外側領域に少なくとも一つが設けられたことを特徴とする請求項３１に記載の装置。
【請求項４６】
追記型ディスクの再生方法において、
追記型ディスクに少なくとも一つ設けられた接近情報領域に最終的にアップデートされた接近情報を得るステップと、
前記接近情報から前記ディスクに設けられた複数のアップデート領域のうち、最終的にアップデートされた情報が記録されたアップデート領域に関する情報を得るステップとを含むことを特徴とする方法。
【請求項４７】
前記接近情報は、前記複数のアップデート領域の位置情報及び最終的にアップデートされた情報が記録されたアップデート領域の識別情報を含むことを特徴とする請求項４６に記載の方法。
【請求項４８】
前記接近情報は、最終的にアップデートされた情報が記録されたアップデート領域の位置情報を含むことを特徴とする請求項４６に記載の方法。
【請求項４９】
前記最終的にアップデートされた情報が記録されたアップデート領域の位置情報は、前記アップデート領域の開始位置及び終了位置を含むことを特徴とする請求項４８に記載の方法。
【請求項５０】
前記複数のアップデート領域は、物理的な領域であることを特徴とする請求項４６に記載の方法。
【請求項５１】
前記複数のアップデート領域は、複数の物理的なアップデート領域を論理的に分割した領域であることを特徴とする請求項４６に記載の方法。
【請求項５２】
前記アップデートされる所定の情報は、臨時欠陥管理情報であり、最終アップデートされた接近情報が記録された前記アップデート領域は、臨時ディスク管理領域であることを特徴とする請求項４６に記載の方法。
【請求項５３】
追記型ディスクの再生装置において、
前記追記型ディスクに記録されたデータを再生する再生部と、
前記追記型ディスクに少なくとも一つ設けられた接近情報領域に、最終的にアップデートされた接近情報を得るように前記再生部を制御し、前記接近情報から前記ディスクに設けられた複数のアップデート領域のうち、最終的にアップデートされた情報が記録されたアップデート領域に関する情報を得る制御部とを備えることを特徴とする装置。
【請求項５４】
前記接近情報は、最終的にアップデートされた情報が記録されたアップデート領域の位置情報を含むことを特徴とする請求項５３に記載の装置。
【請求項５５】
前記最終的にアップデートされた情報が記録されたアップデート領域の位置情報は、前記アップデート領域の開始位置及び終了位置を含むことを特徴とする請求項５４に記載の装置。
【請求項５６】
前記複数のアップデート領域は、物理的な領域であることを特徴とする請求項５４に記載の装置。
【請求項５７】
前記複数のアップデート領域は、複数の物理的なアップデート領域を論理的に分割した領域であることを特徴とする請求項５４に記載の装置。
【請求項５８】
前記アップデートされる所定の情報は、臨時欠陥管理情報であり、前記最終アップデートされた接近情報が記録された前記アップデート領域は、臨時ディスク管理領域であることを特徴とする請求項５４に記載の装置。
【請求項５９】
前記接近情報は、すべてのＴＤＭＡの位置を表す情報と、最終ＴＤＤＳが記録されたＴＤＭＡの位置を表す情報とを含むことを特徴とする請求項１３に記載のディスク。
【請求項６０】
前記最終ＴＤＤＳが記録されたＴＤＭＡの位置を表す情報は、前記ＴＤＭＡの１番目のクラスタの１番目の物理セクタのアドレスと、前記ＴＤＭＡの最後のクラスタの１番目の物理セクタのアドレスであることを特徴とする請求項５９に記載のディスク。
【請求項６１】
前記ＴＤＤＳは、前記接近情報の別途のデータ構造を定義せずに、前記接近情報として使用されることを特徴とする請求項１３に記載のディスク。
【請求項６２】
新たな位置に記録された所定のアップデート情報を利用して、ディスクアクセス時間が短縮されることを特徴とする請求項１に記載のディスク。
【請求項６３】
前記ＴＤＭＡは、複数の仮想ＴＤＭＡに分割され、前記接近情報は、最終ＴＤＤＳが記録された仮想ＴＤＭＡが変更されるときにアップデートされることを特徴とする請求項４３に記載の装置。
【発明の詳細な説明】
【技術分野】
【０００１】
本発明は、追記型ディスクに／から情報を記録／再生する分野に係り、さらに詳細には、追記型ディスクの使用のために必要な情報により速く接近するための接近情報を追記型ディスクに記録する装置、その方法及びその追記型ディスクに関する。
【背景技術】
【０００２】
書換え型ディスクの場合、既に情報が記録された部分に新たな情報を再記録可能である。しかし、追記型ディスクの場合には、情報を一回記録すれば、これを削除した後に再記録できないので、既に記録された情報をアップデートするためには、新たな位置を割り当てて記録せねばならない。
【０００３】
実際に、アップデートされる情報は、最終的にアップデートされた情報のみが有意味な場合がほとんどである。したがって、アップデート領域がデータ領域に割り当てられ、ディスクドライブは、最後にアップデートされた情報を再生するために、アップデートされた情報が記録された領域を探索して、最後にアップデートされた情報を検索する。さらに探索すべき領域に多くの情報が記録されていれば、所望の情報を得るためには多くの時間がかかる。
【０００４】
一方、ドライブによる欠陥管理を具現した追記型ディスクの場合、追記型ディスクの使用中に発生した欠陥に対する欠陥管理のための情報と、追記型ディスクの記録状態などを表す情報とを記録するための領域が設けられる。追記型媒体の特性上、欠陥管理に関する情報などのアップデートが要求されれば、再起録可能なディスクのように、アップデートされた情報を、既存の情報が記録された位置に再記録できないので、データが記録されていない空いた位置にアップデートされた情報を記録せねばならないので、比較的に広いアップデート領域を必要とする。一般的に、アップデート領域は、リードイン領域やリードアウト領域に割り当てられるが、時々そのアップデート回数を増やすために、ユーザの選択によってデータ領域にも割り当てられうる。
【０００５】
追記型ディスクの使用のために必要な最終的なアップデート情報がデータ領域に割り当てられたアップデート領域に記録されており、その最終的なアップデート情報に、データ領域にアップデート領域が割り当てられたという情報と、そのアップデート領域の位置情報とが含まれた場合、ドライブは、リードイン領域またはリードアウト領域に設けられたアップデート領域をいずれも探索しても、最後にアップデートされた情報が得られず、最後にアップデートされた情報がどこに記録されているかがわからないという問題がある。
【発明の開示】
【発明が解決しようとする課題】
【０００６】
したがって、本発明が解決しようとする技術的課題は、追記型ディスクの使用のために必要なアップデートされた情報を再生するための接近時間をさらに短縮させうるデータ構造に情報が記録された追記型ディスクを提供するところにある。
【０００７】
本発明が解決しようとする他の技術的課題は、追記型ディスクの使用のために必要なアップデートされた情報を再生するための接近時間をさらに短縮させうるデータ記録方法及びその装置を提供するところにある。
【０００８】
本発明が解決しようとするさらに他の技術的課題は、追記型ディスクの使用のために必要なアップデートされた情報を再生するための接近時間をさらに短縮させうるデータ再生方法及びその装置を提供するところにある。
【課題を解決するための手段】
【０００９】
前記のような技術的課題は、本発明によって、少なくとも一つの記録層を備えた追記型ディスクにおいて、アップデートされる所定の情報が記録される複数のアップデート領域と、前記複数のアップデート領域のうち、最終的にアップデートされた情報が記録されたアップデート領域を知らせる接近情報が記録される接近情報領域を少なくとも一つと、備えることを特徴とするディスクにより達成される。
【００１０】
前記他の技術的課題は、本発明の一側面によって、追記型ディスクにデータ記録方法において、前記ディスクに設けられた複数のアップデート領域の一つにアップデートされる所定の情報を記録するステップと、前記複数のアップデート領域のうち、最終的にアップデートされた情報が記録されたアップデート領域を知らせる接近情報を、前記ディスクに少なくとも一つ設けられた接近情報領域に記録するステップとを含むことを特徴とする方法によって達成される。
【００１１】
前記他の技術的課題は、本発明の他の側面によって、追記型ディスクにデータを記録する装置において、前記ディスクに／から情報を記録または再生する記録／再生部と、前記ディスクに設けられた複数のアップデート領域の一つに、アップデートされる所定の情報を記録し、前記複数のアップデート領域のうち、最終的にアップデートされた情報が記録されたアップデート領域を知らせる接近情報を、前記ディスクに少なくとも一つ設けられた接近情報領域に記録するように前記記録／再生部を制御する制御部とを備えることを特徴とする装置によっても達成される。
【００１２】
前記さらに他の技術的課題は、本発明の一側面によって、追記型ディスクの再生方法において、追記型ディスクに少なくとも一つ設けられた接近情報領域に最終的にアップデートされた接近情報を得るステップと、前記接近情報から前記ディスクに設けられた複数のアップデート領域のうち、最終的にアップデートされた情報が記録されたアップデート領域に関する情報を得るステップとを含むことを特徴とする方法によって達成される。
【００１３】
前記さらに他の技術的課題は、本発明の他の側面によって、追記型ディスクの再生装置において、前記追記型ディスクに記録されたデータを再生する再生部と、前記追記型ディスクに少なくとも一つ設けられた接近情報領域に、最終的にアップデートされた接近情報を得るように前記再生部を制御し、前記接近情報から前記ディスクに設けられた複数のアップデート領域のうち、最終的にアップデートされた情報が記録されたアップデート領域に関する情報を得る制御部とを備えることを特徴とする装置によって達成される。
【発明を実施するための最良の形態】
【００１４】
以下、添付された図面を参照して本発明の一実施形態を詳細に説明する。
【００１５】
図１Ａ及び図１Ｂは、本発明の一実施形態に係る追記型ディスクの構造を示す図であって、図１Ａは、単一記録層の追記型ディスクの構造を示す図であり、図１Ｂは、二重記録層の追記型ディスクの構造を示す図である。
【００１６】
単一記録層の追記型ディスクは、内周から外周方向にリードイン領域、データ領域及びリードアウト領域が順次に設けられる。
【００１７】
二重記録層の追記型ディスクの第一記録層Ｌ０及び第二記録層Ｌ１には、内周から外周方向に内側領域、データ領域及び外側領域が順次に設けられる。
【００１８】
図２は、本発明の一実施形態に係る単一記録層の追記型ディスクのさらに詳細な構造を示す図である。図２に示すように、リードイン領域には、第１ディスク管理領域（Ｄｉｓｃ  Ｍａｎａｇｅｍｅｎｔ  Ａｒｅａ１：ＤＭＡ１）、第２ディスク管理領域（ＤＭＡ２）、第１臨時ディスク管理領域（Ｔｅｍｐｏｒａｒｙ  Ｄｉｓｃ  Ｍａｎａｇｅｍｅｎｔ  Ａｒｅａ１：ＴＤＭＡ１）、ＡＩＡ及び記録条件テスト領域などが設けられる。リードアウト領域には、第３ディスク管理領域（ＤＭＡ３）及び第４ディスク管理領域（ＤＭＡ４）などが設けられる。さらに、リードアウト領域には、臨時欠陥管理領域、記録条件テスト領域またはＡＩＡのうち少なくとも一つをさらに設けうる。要すると、ＡＩＡ、ＤＭＡ、ＴＤＭＡ及び記録条件テスト領域は、それぞれリードイン領域またはリードアウト領域のうち少なくとも一つの領域に少なくとも一つ存在しうる。
【００１９】
図３Ａ及び図３Ｂは、本発明の一実施形態に係る二重記録層の追記型ディスクのさらに詳細な構造を示す図であって、図３Ａは、記録層Ｌ０の構造を示す図であり、図３Ｂは、記録層Ｌ１の構造を示す図である。図３Ａに示す記録層Ｌ０の構造は、図２に示す単一記録層の追記型ディスクの構造と同じである。図３Ｂに示す記録層Ｌ１の構造は、記録層Ｌ０の構造と類似しているが、第２の内側領域には、ＡＩＡが設けられておらず、第２データ領域には、ＴＤＭＡが二つ設けられているという点で差がある。
【００２０】
また、本実施形態に係る追記型ディスクは、ＴＤＭＡ１ないしＴＤＭＡ５の５個のＴＤＭＡが設けられている。ＴＤＭＡ１及びＴＤＭＡ２の位置及び大きさは、記録装置及び／または再生装置が既に知っている領域である。しかし、ＴＤＭＡ３、ＴＤＭＡ４及びＴＤＭＡ５は、追記型ディスクの使用のためのディスクの初期化時点に、ユーザまたは記録装置及び／または再生装置によりデータ領域に割り当てられる。そして、ＴＤＭＡ１からＴＤＭＳを記録する場合、データ領域に割り当てられたＴＤＭＡの大きさ及び位置情報を含むＴＤＤＳがＴＤＭＡ１に記録される。
【００２１】
図４Ａ及び図４Ｂは、本発明の他の実施形態に係る二重記録層の追記型ディスクのさらに詳細な構造を示す図であって、図４Ａは、記録層Ｌ０の構造を示す図であり、図４Ｂは、記録層Ｌ１の構造を示す図である。図４Ａ及び図４Ｂに示す二重記録層の追記型ディスクには、ＴＤＭＡ１、ＴＤＭＡ２及びＴＤＭＡ５が割り当てられている。すなわち、二重記録層の追記型ディスクは、ディスクの使用のためのディスクの初期化時点に、ユーザまたは記録装置及び／または再生装置によりデータ領域２にＴＤＭＡ５のみが割り当てられた追記型ディスクを表す。
【００２２】
以下、追記型ディスクに設けられたＴＤＭＡなどの各領域及び各領域にデータを記録する過程について説明する。
【００２３】
ＴＤＭＡは、追記型ディスクの最終化以前に追記型ディスクの管理のための臨時管理情報（Ｔｅｍｐｏｒａｒｙ  Ｄｉｓｃ  Ｍａｎａｇｅｍｅｎｔ  Ｓｔｒｕｃｔｕｒｅ：ＴＤＭＳ）を記録するための領域である。追記型ディスクの最終化とは、追記型ディスクにそれ以上のデータを記録できないようにする動作をいう。ユーザの選択によって、追記型ディスクにそれ以上のデータを記録しないか、または追加的にデータを記録できない場合、追記型ディスクは最終化される。
【００２４】
ＴＤＭＳは、臨時欠陥情報（Ｔｅｍｐｏｒａｒｙ  ＤｅＦｅｃｔ  Ｌｉｓｔ：ＴＤＦＬ）、臨時欠陥管理情報（Ｔｅｍｐｏｒａｒｙ  Ｄｉｓｃ  Ｄｅｆｅｃｔ  Ｓｔｒｕｃｔｕｒｅ：ＴＤＤＳ）及びスペースビットマップ（Ｓｐａｃｅ  Ｂｉｔ  Ｍａｐ：ＳＢＭ）を備える。ＴＤＦＬは、欠陥が発生した領域がどこなのかを知らせる情報と、新たに代替された領域がどこなのかを知らせる情報とから構成される。ＴＤＤＳは、ＴＤＦＬを管理するための情報であって、対応するＴＤＦＬが記録された位置を知らせる位置ポインタ、対応するスペースビットマップが記録された位置を知らせる位置ポインタ、データ領域内に割り当てられたスペア領域の位置及び大きさの情報、データ領域内に割り当てられたＴＤＭＡの位置及び大きさの情報を含む。ＳＢＭは、データ記録単位のクラスタ単位でデータが記録されたクラスタと、記録されていないクラスタとにそれぞれ異なるビット値を割り当てることによって、追記型ディスクのデータの記録状態をビットマップで表した情報である。
【００２５】
追記型ディスクが記録装置及び／または再生装置にローディングされれば、その装置は、ディスクの使用のためには、最終的にアップデートされたＴＤＭＳ、特に、ＴＤＤＳを速く得ることが要求される。
【００２６】
通常、記録及び／または再生装置は、ディスクが装置にローディングされれば、リードイン領域及び／またはリードアウト領域にある情報を再生して、ディスクをどのように管理し、どのように記録または再生するかを把握する。リードイン領域及び／またはリードアウト領域に記録された情報の量が多ければ多くなるほど、ディスクをローディングした後、記録または再生を準備するためにかかる時間が長くなるという問題が発生する。したがって、前述したＴＤＭＳの概念を導入し、ディスクにデータ記録または再生中に発生したＴＤＭＳを欠陥管理領域と別個に、リードイン領域及び／またはリードアウト領域に設けられたＴＤＭＡに記録する。
【００２７】
追記型ディスクをファイナライジングする場合、これまでＴＤＭＡに記録されたＴＤＭＳ、すなわち、ＴＤＦＬ及びＴＤＤＳを最終的にＤＭＡに記録する。これは、ディスクをファイナライジングする場合、複数回更新されて記録されたＴＤＦＬ及びＴＤＤＳのうち、最終的に有意味な情報のみをＤＭＡに移すことによって、記録または再生装置が、今後欠陥管理領域から最終的に有意味な情報のみを再生させて、さらに速く追記型ディスクの使用のための情報接近の可能な長所があるためである。
【００２８】
図５は、本発明の一実施形態によってユーザデータ領域及びスペア領域にデータが記録される過程を説明するための図である。図５に示すように、Ａは、ユーザデータ領域を意味し、Ｂは、スペア領域を意味する。ユーザデータ領域にユーザデータを記録する方式は、連続記録モードまたはランダム記録モードによる。連続記録モードは、ユーザデータを順次に連続して記録するものであり、ランダム記録モードは、必ず連続的に記録せずに、ランダムに記録するものを言う。（１）ないし（７）は、それぞれ記録後の検証作業が行われる単位を表す。
【００２９】
記録装置は、ユーザデータを区間（１）だけ記録した後、区間（１）の最初の部分に戻って、データが良好に記録されたか、または欠陥が発生したか否かを確認する。欠陥が発生した部分が発見されれば、その部分を欠陥領域と指定する。これにより、欠陥領域である欠陥＃１が指定される。また、記録装置は、欠陥＃１に記録されたデータをスペア領域に再記録する。欠陥＃１に記録されたデータが再起録された部分は、代替＃１だと言う。次に、記録装置は、区間（２）だけユーザデータを記録した後、再び区間（２）の最初の部分に戻って、データが良好に記録されたか、または欠陥が発生したか否かを確認する。欠陥が発生した部分が発見されれば、その部分は、欠陥＃２に指定される。同じ方式で、欠陥＃２に対応する代替＃２が生成される。また、区間（３）で欠陥領域の欠陥＃３及び代替＃３が生成する。区間（４）では、欠陥が発生した部分が発見されず、欠陥領域が存在しない。
【００３０】
区間（４）まで記録及び検証した後、レコーディングオペレーション＃１の終了が予測されれば（ユーザが取り出しボタンを押すか、またはレコーディングオペレーションに割り当てられたユーザデータ記録が完了すれば）、記録装置は、ＴＤＦＬ＃１として、区間（１）ないし（４）まで発生した欠陥領域である欠陥＃１、＃２、＃３に関する情報をＴＤＭＡに記録する。また、ＴＤＦＬ＃１を管理するための管理情報をＴＤＤＳ＃１としてＴＤＭＡに記録する。本実施形態で、レコーディングオペレーションとは、ユーザの意思、行おうとする記録作業などによって決定される作業単位であって、本実施形態では、追記型ディスクが記録装置にローディングされて所定の情報の記録作業が行われた後、追記型ディスクが記録装置からアンローディングされるまでを表す。
【００３１】
再度追記型ディスクがローディングされれば、レコーディングオペレーション＃２が始まり、記録条件テスト領域に記録条件をテストし、その結果に基づいてデータが記録される。すなわち、レコーディングオペレーション＃２では、区間（５）ないし（７）まで前述したレコーディングオペレーション＃１の場合と同様な方式でデータが記録され、欠陥＃４、＃５及び代替＃４、＃５が生成される。レコーディングオペレーション＃２が終了すれば、記録装置は、ＴＤＦＬ＃２として欠陥＃４及び＃５に関する情報を記録する。また、ＴＤＦＬ＃２を管理するための欠陥管理情報＃２としてＴＤＭＡに記録する。
【００３２】
図２ないし図４に示すように、追記型ディスクにＴＤＭＡ及びスペア領域が複数設けられた場合、所定順序によってＴＤＭＡまたはスペア領域が使用される。例えば、図３に示す二重記録層のディスクに適用されるデータ記録経路が、記録層Ｌ０の第１内側領域から第１外側の領域に、次いで、記録層Ｌ１の第２外側の領域から記録層Ｌ１の第２内側領域にデータを記録するＯＴＰ（Ｏｐｐｏｓｉｔｅ  Ｔｒａｃｋ  Ｐａｔｈ）である場合、スペア領域は、記録層Ｌ０のスペア領域１からデータが記録される。スペア領域１がすべて使用されれば、次にスペア領域２、３及び４の順に使用される。
【００３３】
同様に、ＴＤＭＳは、記録層Ｌ０のＴＤＭＡ１から記録される。ＴＤＭＡ１がすべて使用されれば、記録層Ｌ１の第２内側領域に設けられたＴＤＭＡ２にアップデートすべきＴＤＭＳを記録する。ＴＤＭＡ２もすべて使用されれば、記録層Ｌ０の第１データ領域に設けられたＴＤＭＡ３にアップデートすべきＴＤＭＳを記録する。本実施形態で、各記録層の内側領域に設けられたＴＤＭＡ１及びＴＤＭＡ２は、本実施形態に係る追記型ディスクに必須的に設けられる。しかし、データ領域に設けられたＴＤＭＡは、ユーザの選択によって割り当てられても、割り当てられなくてもよい領域である。したがって、各記録層の内側領域に設けられたＴＤＭＡにすべてデータが記録されれば、データ領域に割り当てられたＴＤＭＡが使用される。
【００３４】
最終的にアップデートされたＴＤＭＳが、データ領域に割り当てられたＴＤＭＡに記録され、追記型ディスクが記録装置からアンローディングされた後、再びそのディスクが記録装置にローディングされる場合、記録装置は、ディスクの使用のために、最終的にアップデートされたＴＤＭＳを得なければならない。しかし、ＴＤＭＳは、データ領域に割り当てられたＴＤＭＡに記録されており、ドライブは、ＴＤＭＳの中のＴＤＤＳにアクセスするまでは、データ領域にＴＤＭＡが割り当てられたか否かが分からないという問題が生じる。
【００３５】
したがって、本発明は、このような問題を解決するために、ＡＩＡを別途に追記型ディスクの所定位置に設ける。ＡＩＡには、接近情報が記録される。接近情報は、ＴＤＭＳのようなアップデート情報が記録された位置を知らせる情報である。
【００３６】
また、アップデート情報とは、ディスクが記録及び／または再生装置にローディングされた初期に、追記型ディスクの使用のために、記録及び／または再生装置が認識すべき情報を言う。そして、アップデート情報が記録される領域をアップデート領域という。本実施形態で代表的なアップデート情報としてはＴＤＭＳがあり、代表的なアップデート領域としてはＴＤＭＡがある。
【００３７】
図２ないし図４に示すように、ＡＩＡは、リードイン領域または内側領域の所定位置に設けることが望ましい。また、ＡＩＡに記録される接近情報の量及びアップデートの回数は最小化して、ＡＩＡの大きさを制限することが望ましい。ＡＩＡの大きさが大きくなるか、または複数のＡＩＡを割り当てれば、接近情報を得るのにかかる時間が長くなるためである。
【００３８】
図６は、本発明の第１実施形態に係る接近情報（Ａｃｃｅｓｓ  Ｉｎｆｏｒｍａｔｉｏｎ：ＡＩ）のデータ構造を示す図である。図６に示す接近情報は、アップデート情報としてＴＤＭＳ、アップデート領域としてＴＤＭＡ、及び図３に示す二重記録層の追記型ディスクの場合における接近情報を表す。
【００３９】
また、図６に示すように、接近情報のヘッダには、接近情報であることを表すＡＩｉｄｅｎｔｉｆｉｅｒと、何番目にアップデートされた接近情報であるかを表すＡＩ  Ｕｐｄａｔｅ  ｃｏｕｎｔを含む。
【００４０】
接近情報は、ディスクに設けられたＴＤＭＡの総数、最終的なＴＤＤＳが記録されているＴＤＭＡを知らせる情報、及びそれぞれのＴＤＭＡの位置情報を含む。各ＴＤＭＡの位置情報は、各ＴＤＭＡの開始位置及び終了位置情報、開始位置または終了位置、大きさ情報で表しうる。前述したように、ＴＤＤＳは、対応するＴＤＦＬの位置を表すポインタなどを含んでいるので、接近情報には最終的なＴＤＤＳが記録されているＴＤＭＡを表す情報が含まれる。
【００４１】
本発明に係る追記型ディスクがドライブにローディングされれば、ドライブは、既に位置を知っているＡＩＡに接近して、最終的にアップデートされた接近情報を得ることによって、最終的なＴＤＤＳが記録されているＴＤＭＡが分かり、最終的なＴＤＤＳ情報を得ることができる。ＡＩＡに記録された最終的な接近情報を得るためのアクセス時間を最小化するために、ＡＩＡには、連続記録モードによって接近情報を連続的に記録し、接近情報のアップデート数は最小化することが望ましい。
【００４２】
本実施形態では、接近情報のアップデート数を最小化するために、最終的なＴＤＤＳが記録されているＴＤＭＡが変わるときに接近情報をアップデートする。また、接近情報にディスクに割り当てられたＴＤＭＡの個数情報、及び各ＴＤＭＡの位置情報を含む場合、新たなＴＤＭＡが割り当てられるか、またはＴＤＭＡの位置情報が変わるときにも接近情報をアップデートする。また、記録された接近情報にエラーが発生する場合に対応するために、同じ接近情報を繰り返して記録することが望ましい。
【００４３】
最終的なＴＤＤＳが記録された具体的なアドレス情報が接近情報に含まれていなくても、アップデートすべき接近情報は、以前接近情報の次から連続して記録されるので、記録装置及び／または再生装置は、トラックジャンプのような方法を利用して、記録された領域と記録されていない領域との境界を認識することによって、最終的なＴＤＤＳが記録された位置を速く検索できる。データが記録された領域から得られたＲＦ信号と、データが記録されていない領域から得られたＲＦ信号とに差があるためである。
【００４４】
図７は、本発明の第２実施形態に係る接近情報のデータ構造を示す図である。図６に示す実施形態に係る接近情報は、あらゆるＴＤＭＡの位置情報を記録し、最終的なＴＤＤＳが記録されたＴＤＭＡを表す情報を含んでいる。しかし、本実施形態に係る接近情報は、最終的なＴＤＤＳが記録されたＴＤＭＡの位置情報を含む。最終的なＴＤＤＳが記録されたＴＤＭＡの位置情報は、ＴＤＭＡの一番目のクラスタの一番目の物理セクタのアドレス及び最後のクラスタの１番目の物理セクタのアドレスで表しうる。しかし、これに限定されず、多様な方式を利用して、最終的なＴＤＤＳが記録されたＴＤＭＡの位置情報を表しうるということは言うまでもない。
【００４５】
図８は、本発明の第３実施形態に係る接近情報のデータ構造を示す図である。本実施形態に係る接近情報は、ＴＤＤＳのデータ構造と同じである。すなわち、別途の接近情報のデータ構造を定義せず、ＴＤＤＳを接近情報として利用する。ＴＤＤＳを接近情報として利用するためには、図８に示すように、最終的なＴＤＤＳが記録されたＴＤＭＡの位置を表す情報フィールドをＴＤＤＳに追加せねばならない。
【００４６】
図９は、本発明の第４実施形態に係る接近情報のデータ構造を示す図である。本実施形態に係る接近情報は、前述した第３実施形態と同様に、ＴＤＤＳのデータ構造をそのまま利用する。しかし、第３実施形態とは異なり、ＴＤＤＳには、最終的なＴＤＤＳが記録されたＴＤＭＡを表すフラグがさらに含まれる。本実施形態で前記フラグは、最終的なＴＤＤＳが記録されたＴＤＭＡを表すｂ０ないしｂ４の５つのビットと、保留されたｂ５ないしｂ７の３つのビットの総８つのビットからなる。例えば、ｂ０ないしｂ４が“００００１ｂ”であればＴＤＭＡ１に、“０００１０ｂ”であればＴＤＭＡ２に、“００１００ｂ”であればＴＤＭＡ３に、“０１０００ｂ”であればＴＤＭＡ４に、そして“１００００ｂ”であればＴＤＭＡ５に最終的なＴＤＤＳが記録されたことを表すことと定義できる。
【００４７】
本実施形態に係る追記型ディスクに設けられた複数のＴＤＭＡは、データ記録方向を基準に連続的に使用される。したがって、物理的に複数のＴＤＭＡを一つの連続的なＴＤＭＡと見なして、複数の仮想的なＴＤＭＡに分割できる。
【００４８】
図１０は、全体ＴＤＭＡが複数の仮想的なＴＤＭＡに分割された場合を示す図である。例えば、図３に示す二重記録層の追記型ディスクの場合、ＴＤＭＡ１、ＴＤＭＡ２、ＴＤＭＡ３、ＴＤＭＡ４及びＴＤＭＡ５の順に使用され、ＴＤＭＡ１及びＴＤＭＡ２は、２０４８個のクラスタ、ＴＤＭＡ３及びＴＤＭＡ４は、４０９６個のクラスタ、そしてＴＤＭＡ５は、８１９２個のクラスタから構成されれば、全体ＴＤＭＡは、２０４８０個のクラスタからなる。もし、５１２個のクラスタ単位、１０２４クラスタ単位及び２０４８クラスタ単位で全体ＴＤＭＡをそれぞれ分割すれば、４０個、２０個及び１０個の仮想的なＴＤＭＡにそれぞれ分け得る。
【００４９】
二重記録層の追記型ディスクに割り当てられたＴＤＭＡ１ないしＴＤＭＡ５のうちＴＤＭＡ３の大きさが非常に大きく、ＴＤＭＡ３に最終的なＴＤＤＳが記録されたならば、記録及び／または再生装置は、接近情報からＴＤＭＡ３に最終的なＴＤＤＳが記録されたことが分かり、ＴＤＭＡ３を探索して最終的なＴＤＤＳを得る。しかし、ＴＤＭＡ３の領域の大きさが大きい場合には、最終的なＴＤＤＳを得るために、ＴＤＭＡ３を探索するが、所要時間が長くなるという問題が発生しうる。したがって、このような問題を解決するために、前述したような仮想的なＴＤＭＡ概念を利用する。図１０に示すように、それぞれの仮想的なＴＤＭＡの大きさは同じくしてもよいが、必ずしもこれに限定されない。
【００５０】
記録及び／または再生装置は、全体ＴＤＭＡを仮想的な複数のＴＤＭＡに分割した後、最終的なＴＤＤＳが記録される仮想的なＴＤＭＡが変わるときにのみ接近情報をアップデートする。本実施形態に係る接近情報のデータ構造は、前述した第１実施形態ないし第４実施形態に係るデータ構造を利用できる。ただし、接近情報には、最終的なＴＤＤＳが記録された仮想的なＴＤＭＡを表す情報または仮想的なＴＤＭＡの位置情報が含まれる。
【００５１】
図１１は、本発明の一実施形態に係る記録装置のブロック図である。図１１に示すように、記録装置は、記録／再生部１、制御部２及びメモリ部３を備える。記録／再生部１は、追記型ディスク１００にデータを記録し、記録されたデータに欠陥が存在しているか否かを検証するために、記録されたデータを再び再生する。追記型ディスク１００は、前述したように、本発明に係るＡＩＡが設けられた追記型ディスクである。
【００５２】
欠陥管理のために、制御部２は、所定単位でデータを記録した後、記録されたデータを検証することによって、欠陥が発生した部分を検索する「記録後検証方式」による。制御部２は、一レコーディングオペレーション単位でユーザデータを記録した後に検証して、欠陥領域がどこに発生したかを検査し、検査結果から、欠陥領域がどこであるかを知らせる欠陥情報を生成した後、生成された欠陥情報をメモリ部３に保存した後、所定分量集めてＴＤＦＬとしてディスク１００に設けられたアップデート領域、すなわち、ＴＤＭＡに記録し、記録されたＴＤＦＬを管理するためのＴＤＤＳをＴＤＭＡにさらに記録する。一レコーディングオペレーションの間に記録後検証作業は、少なくとも１回、通常、複数回行われる。記録後検証作業の実行結果から得られた欠陥情報は、メモリ部３にＴＤＦＬとして一時保存される。レコーディングオペレーションが終了すれば、制御部２は、メモリ部３に保存されたＴＤＦＬを読み取って記録／再生部１に提供し、それらの情報をディスク１００に設けられたＴＤＭＡに記録することを命令する。
【００５３】
ディスク１００にそれ以上のデータを記録できないか、またはユーザの意志によってデータ領域にそれ以上のデータを記録しようとしない場合（ファイナライジングする場合）、制御部２は、ＴＤＭＡに記録したＴＤＦＬ及びＴＤＤＳをディスク１００に設けられたＤＭＡに記録する。
【００５４】
制御部２は、本発明に係るデータ構造にデータを記録するように記録／再生部１を制御する。すなわち、ディスク１００に設けられた複数のアップデート領域の一つに、アップデートされる所定の情報、すなわち、ＴＤＦＬまたはＴＤＤＳを含むＴＤＭＳを記録し、接近情報のアップデートの必要性が発生すれば、ディスク１００に設けられたＡＩＡに、アップデートされた接近情報を記録するように記録／再生部１を制御する。
【００５５】
以上、説明した記録装置の構造に基づいて、本発明に係る接近情報記録方法をさらに詳細に説明する。
【００５６】
図１２は、本発明の一実施形態に係る記録方法のフローチャートである。
【００５７】
追記型ディスク１００が記録装置にローディングされれば、制御部２は、記録／再生部１を制御して、所定のユーザデータを追記型ディスク１００に記録する（ステップ７１）。
【００５８】
一レコーディングオペレーションの間に少なくとも１回行われる“記録後検証”作業の実行結果、アップデートすべき情報が発生したか否かを判断する（ステップ７３）。本実施形態でアップデートすべき情報は、ＴＤＭＳを意味する。ＴＤＭＳが発生すれば、メモリ部３に一時保存されたがレコーディングオペレーションが終了すれば、制御部２は、メモリ部３に保存されたＴＤＦＬを読み取って記録／再生部１に提供し、記録／再生部１は、それらの情報を、ディスク１００に設けられた複数のアップデート領域の一つに記録する（ステップ７５）。本実施形態に係るアップデート領域は、ＴＤＭＡを意味する。
【００５９】
制御部２は、他のレコーディングオペレーション命令の存否を判断して（ステップ７７）、他のレコーディングオペレーション命令があれば、前記ステップ７１ないしステップ７５を繰り返す。
【００６０】
しかし、制御部２は、他のレコーディングオペレーション命令がなければ、本発明に係る接近情報のアップデートの必要性の存否を判断する（ステップ７９）。本実施形態では、最終的なＴＤＭＳ、特に、最終的なＴＤＤＳが記録されるＴＤＭＡが変わるとき、新たなＴＤＭＡが割り当てられるとき、または既存のＴＤＭＡの位置情報が変わるときに接近情報をアップデートする。
【００６１】
制御部２は、記録／再生部１を制御して、複数のアップデート領域のうち最終的にアップデートされた情報が記録されたアップデート領域を知らせる接近情報を、追記型ディスク１００に少なくとも一つ設けられたＡＩＡに記録する（ステップ８１）。記録された接近情報にエラーが発生する場合に対応するために、同じ接近情報を繰り返して記録することが望ましい。
【００６２】
以上で説明したように、最終的なＴＤＭＳ情報が記録された位置を表す接近情報が追記型ディスクのＡＩＡに記録されれば、その追記型ディスクが再び記録装置または再生装置にローディングされるとき、最終的なＴＤＤＳ情報により迅速かつ容易に接近できる。
【００６３】
一方、図示されていないが、本発明に係る接近情報が記録されたＡＩＡを備える追記型ディスク１００の再生装置は、図１１に示すような記録装置と類似した構造を有する。ただし、再生装置であるので、記録／再生部１の代わりに再生部を備える。本発明に係る再生装置は、本発明に係る接近情報が記録されたＡＩＡを備える追記型ディスク１００がローディングされれば、再生装置は、ＤＭＡをアクセスして、ＤＭＡにデータが記録されたか否かで追記型ディスク１００が最終化されたかを判断する。もし、追記型ディスク１００が最終化されていなければ、本発明に係るＡＩＡに接近して最終的な接近情報を得る。最終的な接近情報から、記録装置または再生装置は、最終的なＴＤＤＳ情報が記録されたＴＤＭＡ領域を認識する。当業者ならば、前述した本発明に係るＡＩＡを備える追記型ディスク１００及びその記録装置に関する説明から本発明に係る再生装置の動作が容易に分かる。
【００６４】
追記型ディスク１００が初期化されていない空ディスクならば、ＡＩＡにはデータが全く記録されていない。記録装置は、追記型ディスク１００の使用のための初期化を行う。追記型ディスク１００の初期化時に、ＡＩＡの１番目の記録クラスタに前述したような多様な実施形態に係るデータ構造に最初の接近情報が記録される。
【００６５】
以上、本発明についてその望ましい実施形態を中心に説明した。当業者は、本発明が本発明の本質的な特性から逸脱しない範囲で変形された形態で具現されうるということが理解できるであろう。本発明の範囲は、前述した説明ではなく、特許請求の範囲に示されており、それと同等な範囲内にあるすべての差異点は、本発明に含まれたものと解釈されねばならない。
【産業上の利用可能性】
【００６６】
前述したように、本発明によれば、所定の情報がアップデートされて新たな位置に記録される追記型ディスクの場合、アップデートされた情報を再生するための接近時間をさらに短縮させうる。また、追記型ディスクの使用のために必要なアップデートされた情報を記録するためのアップデート領域が複数個存在する場合、記録装置または再生装置は、複数のアップデート領域のうち最終的にアップデートされた情報が記録されたアップデート領域を迅速かつ容易に決定できる。
【図面の簡単な説明】
【００６７】
【図１Ａ】本発明の一実施形態に係る追記型ディスクの構造を示す図である。
【図１Ｂ】本発明の一実施形態に係る追記型ディスクの構造を示す図である。
【図２】本発明の一実施形態に係る単一記録層の追記型ディスクのさらに詳細な構造を示す図である。
【図３Ａ】本発明の一実施形態に係る二重記録層の追記型ディスクのさらに詳細な構造を示す図である。
【図３Ｂ】本発明の一実施形態に係る二重記録層の追記型ディスクのさらに詳細な構造を示す図である。
【図４Ａ】本発明の他の実施形態に係る二重記録層の追記型ディスクのさらに詳細な構造を示す図である。
【図４Ｂ】本発明の他の実施形態に係る二重記録層の追記型ディスクのさらに詳細な構造を示す図である。
【図５】本発明の一実施形態によってユーザデータ領域及びスペア領域にデータが記録される過程を説明するための図である。
【図６】本発明の第１実施形態に係る接近情報のデータ構造を示す図である。
【図７】本発明の第２実施形態に係る接近情報のデータ構造を示す図である。
【図８】本発明の第３実施形態に係る接近情報のデータ構造を示す図である。
【図９】本発明の第４実施形態に係る接近情報のデータ構造を示す図である。
【図１０】全体ＴＤＭＡが複数の仮想的なＴＤＭＡに分割された場合を示す図である。
【図１１】本発明の一実施形態に係る記録装置のブロック図である。
【図１２】本発明の一実施形態に係る記録方法のフローチャートである。
【図１Ａ】
2007517352.tif 000003
【図１Ｂ】
2007517352.tif 000004
【図２】
2007517352.tif 000005
【図３Ａ】
2007517352.tif 000006
【図３Ｂ】
2007517352.tif 000007
【図４Ａ】
2007517352.tif 000008
【図４Ｂ】
2007517352.tif 000009
【図５】
2007517352.tif 000010
【図６】
2007517352.tif 000011
【図７】
2007517352.tif 000012
【図８】
2007517352.tif 000013
【図９】
2007517352.tif 000014
【図１０】
2007517352.tif 000015
【図１１】
2007517352.tif 000016
【図１２】
2007517352.tif 000017
【国際調査報告】
2007517352.tif 000018